(57)【要約】【課題】新規な表示システム、及び移動体を提供すること。【解決手段】表示パネルと、表示用ドライバと、を有する表示システムとする。表示パネルは、湾曲した形状を有する。表示パネルは、湾曲した形状面上に、第１表示領域と第２表示領域と、を有する。表示用ドライバは、第１デジタルデータと第１クロック信号とによって、第１アナログデータを生成し、第２デジタルデータと第２クロック信号とによって、第２アナログデータを生成する。第１アナログデータ、及び第２アナログデータを、それぞれ第１表示領域及び第２表示領域に送ることで、表示パネルの湾曲した形状に合わせた画像を表示する。【選択図】図１
2017211652.tif 000002
【特許請求の範囲】
【請求項１】
表示パネルと、表示用ドライバと、を有する表示システムであって、
前記表示パネルは、第１表示領域と、第２表示領域と、を有し、
前記第１表示領域は、前記第２表示領域よりも狭く、
前記表示用ドライバは、第１クロック信号と、第１デジタルデータと、によって、第１アナログデータを生成する機能と、第２クロック信号と、第２デジタルデータと、によって、第２アナログデータを生成する機能と、を有し、
前記第１クロック信号の周波数は、前記第２クロック信号の周波数よりも低く、
表示用ドライバは、前記第１表示領域、及び第２表示領域に対して、それぞれ前記第１アナログデータ、第２アナログデータを送信することを特徴とする表示システム。
【請求項２】
請求項１において、
前記表示パネルは、湾曲した表示面を有し、
前記第１表示領域、及び前記第２表示領域は、前記湾曲した表示面に含まれることを特徴とする表示システム。
【請求項３】
請求項１、又は請求項２において、
撮像センサを有し、
前記撮像センサは、対象物の位置を特定する機能を有し、
前記対象物の位置が第１地点から第２地点に移動したとき、前記第１表示領域及び第２表示領域の割合を変更することができることを特徴とする表示システム。
【請求項４】
請求項１乃至請求項３のいずれか一項において、
前記表示用ドライバは、シフトレジスタと、デジタルアナログ変換回路と、を有し、
前記シフトレジスタには、前記第１クロック信号、前記第２クロック信号のいずれか一が入力され、
前記デジタルアナログ変換回路には、前記第１デジタルデータ、前記第２デジタルデータのいずれか一が入力されることを特徴とする表示システム。
【請求項５】
請求項１乃至請求項４のいずれか一項において、
発振回路を有し、
前記発振回路は、前記表示用ドライバと電気的に接続され、
前記発振回路は、インバータと、回路と、を有し、
前記回路は、第１端子と、第２端子と、を有し、
前記第１端子は、前記インバータの出力端子と電気的に接続され、
前記回路は、前記第１端子と前記第２端子との間の抵抗値を可変する機能を有し、
前記発振回路は、
前記抵抗値を可変する機能によって、前記回路の前記第１端子と前記第２端子との間の抵抗値を第１抵抗値としたとき、前記第１抵抗値に対応した前記第１クロック信号を生成して、前記表示用ドライバに前記第１クロック信号を供給する機能と、
前記抵抗値を可変する機能によって、前記回路の前記第１端子と前記第２端子との間の抵抗値を第２抵抗値としたとき、前記第２抵抗値に対応した前記第２クロック信号を生成して、前記表示用ドライバに前記第２クロック信号を供給する機能と、を有し、
前記第１抵抗値は、前記第２抵抗値よりも高いことを特徴とする表示システム。
【請求項６】
請求項５において、
前記回路は、データ保持回路を有し、
前記データ保持回路は、第３端子と、第４端子と、を有し、
前記第３端子は、前記第１端子と電気的に接続され、
前記第４端子は、前記第２端子と電気的に接続され、
前記データ保持回路は、データを格納する機能を有し、
前記データ保持回路は、前記第３端子と前記第４端子との間を非導通にするか、前記第３端子と前記第４端子との間の抵抗値を前記データに基づいた値にするか、を選択する機能を有することを特徴とする表示システム。
【請求項７】
請求項１乃至請求項６のいずれか一項において、
前記表示パネルは、トランジスタと、前記トランジスタと電気的に接続される表示素子と、を有し、
前記トランジスタは、チャネル形成領域に酸化物半導体を有することを特徴とする表示システム。
【請求項８】
請求項１乃至請求項７のいずれか一項において、
前記表示素子は、有機エレクトロルミネッセンス素子であることを特徴とする表示システム。
【請求項９】
請求項１乃至請求項８のいずれか一項に記載の表示システムを有する移動体。
【発明の詳細な説明】
【技術分野】
【０００１】
本発明の一態様は、表示システム及び移動体に関する。特に、湾曲した表示面を有する表示パネルを備えた表示システム、及びフレキシブルな表示パネルを備えた移動体に関する。
【背景技術】
【０００２】
有機ＥＬ（Ｅｌｅｃｔｒｏ  Ｌｕｍｉｎｅｓｃｅｎｃｅ）を有する曲面ディスプレイが提案されている（例えば、特許文献１）。なお曲面ディスプレイは、湾曲した表示面を有するディスプレイのことをいう。
【０００３】
フレキシブル有機ＥＬディスプレイを車のフロントガラスに用いるシステムが提案されている。フレキシブルディスプレイはガラスと異なり軽く、また、視覚情報以外の情報を表示することで、運転者の運転を補助する機能も実現することができると期待される。
【先行技術文献】
【特許文献】
【０００４】
【特許文献１】特開２０１３−１３４２９５号公報
【発明の概要】
【発明が解決しようとする課題】
【０００５】
車のフロントガラスはデザイン性の観点から曲面など複雑な形状を有する。このような形状のフロントガラスをディスプレイとして情報を表示するには、運転者の視覚に対して本来伝えるべき画像情報をフロントガラスの形状に合わせて画像処理を施した画像データとする必要がある。このような画像処理は大規模なフレームメモリと高スループットの画像処理回路もしくはＧＰＵ（Ｇｒａｐｈｉｃｓ  Ｐｏｃｅｓｓｉｎｇ  Ｕｎｉｔ）を用いて実行する必要があり、消費電力が高くなる。
【０００６】
本発明の一態様は、新規な表示システム、及び当該表示システムを備えた移動体等を提供することを課題の一とする。
【０００７】
又は、本発明の一態様は、消費電力が低減された、新規な表示システム、及び当該表示システムを備えた移動体等を提供することを課題の一とする。又は本発明の一態様は、視認性の向上を図ることができる、新規な表示システム、及び当該表示システムを備えた移動体等を提供することを課題の一とする。
【０００８】
なお本発明の一態様の課題は、上記列挙した課題に限定されない。上記列挙した課題は、他の課題の存在を妨げるものではない。なお他の課題は、以下の記載で述べる、本項目で言及していない課題である。本項目で言及していない課題は、当業者であれば明細書又は図面等の記載から導き出せるものであり、これらの記載から適宜抽出することができる。なお、本発明の一態様は、上記列挙した記載、及び他の課題のうち、少なくとも一つの課題を解決するものである。なお、本発明の一態様は、上記列挙した記載、及び他の課題について、全ての課題を解決する必要はない。
【課題を解決するための手段】
【０００９】
（１）
本発明の一態様は、表示パネルと、表示用ドライバと、を有する表示システムであって、表示パネルは、第１表示領域と、第２表示領域と、を有し、第１表示領域は、第２表示領域よりも狭く、表示用ドライバは、第１クロック信号と、第１デジタルデータと、によって、第１アナログデータを生成する機能と、第２クロック信号と、第２デジタルデータと、によって、第２アナログデータを生成する機能と、を有し、第１クロック信号の周波数は、第２クロック信号の周波数よりも低く、表示用ドライバは、第１表示領域、及び第２表示領域に対して、それぞれ第１アナログデータ、第２アナログデータを送信することを特徴とする表示システムである。
【００１０】
（２）
又は、本発明の一態様は、前記（１）において、表示パネルは、湾曲した表示面を有し、第１表示領域、及び第２表示領域は、湾曲した表示面に含まれることを特徴とする表示システムである。
【００１１】
（３）
又は、本発明の一態様は、前記（１）又は前記（２）において、撮像センサを有し、撮像センサは、対象物の位置を特定する機能を有し、対象物の位置が第１地点から第２地点に移動したとき、第１表示領域及び第２表示領域の割合を変更することができることを特徴とする表示システムである。
【００１２】
（４）
又は、本発明の一態様は、前記（１）乃至前記（３）のいずれか一項において、表示用ドライバは、シフトレジスタと、デジタルアナログ変換回路と、を有し、シフトレジスタには、第１クロック信号、第２クロック信号のいずれか一が入力され、デジタルアナログ変換回路には、第１デジタルデータ、第２デジタルデータのいずれか一が入力されることを特徴とする表示システムである。
【００１３】
（５）
又は、本発明の一態様は、前記（１）乃至（４）のいずれか一項において、発振回路を有し、発振回路は、表示用ドライバと電気的に接続され、発振回路は、インバータと、回路と、を有し、回路は、第１端子と、第２端子と、を有し、第１端子は、インバータの出力端子と電気的に接続され、回路は、第１端子と第２端子との間の抵抗値を可変する機能を有し、発振回路は、抵抗値を可変する機能によって、回路の第１端子と第２端子との間の抵抗値を第１抵抗値としたとき、第１抵抗値に対応した第１クロック信号を生成して、表示用ドライバに第１クロック信号を供給する機能と、抵抗値を可変する機能によって、回路の第１端子と第２端子との間の抵抗値を第２抵抗値としたとき、第２抵抗値に対応した第２クロック信号を生成して、表示用ドライバに第２クロック信号を供給する機能と、を有し、第１抵抗値は、第２抵抗値よりも高いことを特徴とする表示システムである。
【００１４】
（６）
又は、本発明の一態様は、前記（５）において、回路は、データ保持回路を有し、データ保持回路は、第３端子と、第４端子と、を有し、第３端子は、第１端子と電気的に接続され、第４端子は、第２端子と電気的に接続され、データ保持回路は、データを格納する機能を有し、データ保持回路は、第３端子と第４端子との間を非導通にするか、第３端子と第４端子との間の抵抗値をデータに基づいた値にするか、を選択する機能を有することを特徴とする表示システム。
【００１５】
（７）
又は、本発明の一態様は、前記（１）乃至（６）のいずれか一において、表示パネルは、トランジスタと、トランジスタと電気的に接続される表示素子と、を有し、トランジスタは、チャネル形成領域に酸化物半導体を有することを特徴とする表示システムである。
【００１６】
（８）
又は、本発明の一態様は、前記（１）乃至（７）のいずれか一において、表示素子は、有機エレクトロルミネッセンス素子であることを特徴とする表示システムである。
【００１７】
（９）
又は、本発明の一態様は、前記（１）乃至（８）のいずれか一に記載の表示システムを有する移動体である。
【発明の効果】
【００１８】
本発明の一態様によって、新規な表示システム、及び当該表示システムを備えた移動体等を提供することができる。
【００１９】
又は、本発明の一態様によって、消費電力が低減された、新規な表示システム、及び当該表示システムを備えた移動体等を提供することができる。又は本発明の一態様によって、視認性の向上を図ることができる、新規な表示システム、及び当該表示システムを備えた移動体等を提供することができる。
【００２０】
なお本発明の一態様の効果は、上記列挙した効果に限定されない。上記列挙した効果は、他の効果の存在を妨げるものではない。なお他の効果は、以下の記載で述べる、本項目で言及していない効果である。本項目で言及していない効果は、当業者であれば明細書又は図面等の記載から導き出せるものであり、これらの記載から適宜抽出することができる。なお、本発明の一態様は、上記列挙した効果、及び他の効果のうち、少なくとも一つの効果を有するものである。従って本発明の一態様は、場合によっては、上記列挙した効果を有さない場合もある。
【図面の簡単な説明】
【００２１】
【図１】表示システムを説明するための図。
【図２】移動体における表示パネルの構成を説明するための図。
【図３】移動体における表示パネルの構成を説明するための図。
【図４】移動体における表示パネルの構成を説明するための図。
【図５】表示用ドライバの一例を示す回路図。
【図６】表示システムの動作例を説明するためのタイミングチャート。
【図７】表示システムの動作例を説明するためのタイミングチャート。
【図８】クロック信号を生成する装置の一例を示すブロック図。
【図９】クロック信号を生成する装置の一例を示す回路図。
【図１０】表示パネルにおける画素の構成例を説明するための図。
【図１１】移動体における表示パネルの構成を説明するための図。
【図１２】移動体における表示パネルの構成を説明するための図。
【図１３】移動体における表示パネルの構成を説明するための図。
【図１４】移動体における撮像装置及び表示パネルの構成を説明するための図。
【図１５】移動体の一例を説明する図。
【発明を実施するための形態】
【００２２】
以下、本発明の一態様について図面を参照しながら説明する。但し、本発明の一態様は多くの異なる態様で実施することが可能であり、趣旨及びその範囲から逸脱することなくその形態及び詳細を様々に変更し得ることは当業者であれば容易に理解される。従って、本発明は、以下の記載内容に限定して解釈されるものではない。
【００２３】
なお本明細書等において、「第１」、「第２」、「第３」という序数詞は、構成要素の混同を避けるために付したものである。従って、構成要素の数を限定するものではない。また、構成要素の順序を限定するものではない。
【００２４】
なお図面において、同一の要素又は同様な機能を有する要素、同一の材質の要素、あるいは同時に形成される要素等には同一の符号を付す場合があり、その繰り返しの説明は省略する場合がある。
【００２５】
＜表示システムに適用した表示装置の形態＞
本発明の一態様である表示システムの構成例について説明する。表示システムは、湾曲した表示面を有するディスプレイ（表示パネルともいう）に適用することができる。
【００２６】
湾曲した表示面の一例としては、例えば、自動車等の移動体のインストルメントパネル（以下、インパネという）、又はフロントガラスなどがある。なお、自動車以外の移動体の例としては、バス、電車、飛行機等がある。
【００２７】
図２（Ａ）は、表示システムに適用可能な表示パネルが設けられた、移動体のインパネ周辺を示す図である。図２（Ａ）に示す移動体１０は、ダッシュボード１２に設けられた複数の表示パネル１１Ａ乃至表示パネル１１Ｄ、ハンドル１３、窓部１４、及びピラー１５を図示している。
【００２８】
また、図２（Ｂ）は、図２（Ａ）に示す表示パネル１１Ａ乃至表示パネル１１Ｄに適用可能な表示パネルの断面の模式図である。図２（Ｂ）では、ダッシュボード１２及びハンドル１３を図示しており、ダッシュボード１２の表面の湾曲した面に表示パネル２０（表示パネル１１Ａ乃至表示パネル１１Ｄの何れかに相当）が取り付けられた様子を図示している。表示パネル２０は、表示領域２１、非表示領域２２及びコントロールＩＣ３０を有する。
【００２９】
表示パネル２０は、可撓性を有する基材上にトランジスタ及び表示素子等が設けられる。そのため、表示パネル２０は可撓性を有し、図２（Ｂ）に図示するように折り曲げ部２３において折り曲げてダッシュボード１２に設けることができる。この折り曲げ部２３を有することで表示パネル２０の非表示領域２２と表示領域２１と重なる領域を有する構成とする。
【００３０】
コントロールＩＣ３０は、表示パネル２０で表示を行うための画像データを生成する機能を有する。コントロールＩＣ３０は、記憶回路及び補正回路等を有し、表示領域２１にある画素に書き込むための画像データを生成する機能を有する。
【００３１】
コントロールＩＣ３０の記憶回路は、表示パネル２０が有する画素部の領域において表示領域２１となる画素の位置の情報、及び非表示領域２２となる画素の位置の情報を記憶する機能を有する。本発明の一態様の表示システムにおいて、複数の表示パネルを有し、複数の表示パネルのそれぞれにおいて表示領域２１及び非表示領域２２を異ならせる。そのため表示パネル毎に、表示領域２１が有する画素の位置の情報及び非表示領域２２が有する画素の位置の情報を記憶できる記憶回路を設ける。
【００３２】
コントロールＩＣ３０の補正回路は、表示パネル２０が有する画素部の領域において、表示領域２１の画素に書き込む画像データを生成する機能を有する回路である。つまりコントロールＩＣ３０の補正回路は、非表示領域２２の画素に画像データを与えず、表示領域２１の画素にのみ画像データを与えるように画像データを補正することができる。このようにすることで、表示に寄与する画素のみ、画像データを更新する構成とできるため、不必要な画像データの書き込みがなくなる分の消費電力を削減することができる。
【００３３】
コントロールＩＣ３０の補正回路は、表示パネル毎に設ける構成とする。当該構成とすることで表示パネルは、表示パネル毎に異なる表示領域となる画素の情報をもとに、表示領域にある画素に対する画像データを生成して出力することができる。
【００３４】
図３には、本発明の一態様である表示システムに適用した表示パネルの具体例を示す。図３では、図２（Ａ）で図示した移動体１０が有するダッシュボード１２に設けられた複数の表示パネル１１Ａ乃至表示パネル１１Ｄを示している。図３に図示する表示パネル１１Ａ乃至表示パネル１１Ｄはそれぞれ異なる形状の表示面を有する。例えば図３に図示する表示パネル１１Ｂと表示パネル１１Ｃとは、異なる形状の表示面を有する。
【００３５】
図３の表示パネル１１Ａ乃至表示パネル１１Ｄで構成される表示面のように複雑な形状の表示面を形成する場合、形状の異なる複数の表示パネルを組み合わせて形成することとなるが、このような構成に対して本発明の一態様である表示システムは有効である。本発明の一態様である表示システムでは、表示領域の異なる複数の折り曲げられた表示パネルを有する。これらの表示パネルは、表示領域を異ならせた表示パネルを非表示領域で折り曲げることで作製できるため、ベースとなる表示パネルを同じ表示パネルで作製できるため、量産効果が得られる。そのため、本発明の一態様の表示システムに適用した表示パネルでは、製造コストの低減を図ることができる。
【００３６】
なお本発明の一態様である表示システムの表示パネルは、複数の異なる表示パネル間の非表示領域同士を重ねる構成とすることも有効である。この場合、非表示領域とする画素は、黒表示とすることで重なる領域を目立ちにくくすることができる。矩形状の表示パネルは、４辺すべてを折り曲げる構成とすることが難しい。そのため非表示領域を黒表示として重ねる構成は、矩形状の表示パネルの２辺にある非表示領域を折り曲げ、残りの２辺にある非表示領域を黒表示として重ねるといった構成の場合に有効である。
【００３７】
図３でいえば表示パネル１１Ｂと表示パネル１１Ｃは、同じ表示パネルをもとに作製することができる。つまり図３に図示するように同じ画素部２４を有する表示パネル２０をもとに作製することができる。具体的には、表示パネル１１Ｂの場合、表示パネル２０を表示領域２１Ｄと非表示領域２２Ｄとに分け、表示パネル１１Ｃの場合、別の表示パネル２０が表示領域２１Ｅと非表示領域２２Ｅとに分ければよい。次に、表示領域、及び非表示領域を示す情報を記憶回路に記憶し、当該情報をもとに補正回路で異なる画像データを出力する。表示面とはならない非表示領域２２Ｄ及び非表示領域２２Ｅは、表示パネル２０を折り曲げて表示領域と重なる領域を有するように設けることで、表示パネル２０を設置するスペースを省スペース化することができる。そして図３の表示パネル１１Ａ乃至表示パネル１１Ｄで構成される表示面のように複雑な形状の表示面を形成することができ、デザイン性の向上を図ることができる表示システムとすることができる。
【００３８】
図４（Ａ）は、表示システムに適用した表示パネルが設けられた、移動体のフロントガラス、及びその周辺を示す図である。図４（Ａ）に示す移動体１０は、窓部に備えつけられている表示パネル５０、ダッシュボード１２、ダッシュボードに設けられたインパネ１６、及びピラー１５を図示している。
【００３９】
また、図４（Ｂ）は、図４（Ａ）に示す表示パネル５０の断面の模式図である。図４（Ｂ）では、ダッシュボード１２、及びハンドル１３を図示している。表示パネル５０は、表示領域２１、非表示領域２２、及びコントロールＩＣ３０を有する。
【００４０】
表示パネル５０は、支持基板をフロントガラスとして、フロントガラスにトランジスタ及び表示素子等を設けた構成とするのがよい。また、表示パネル５０は、透光性及び可撓性を有する基材上にトランジスタ及び表示素子等を設けて、移動体のフロントガラスに貼り付けた構成としてもよい。
【００４１】
コントロールＩＣ３０については、前述の記載を参照する。
【００４２】
表示パネル５０には、運転時に必要な情報を映すのが好ましい。例えば、表示パネル５０には、メーターなどの画像３１を表示することができる。画像３１としては、速度メーター、タコメーター、ガソリンメーターなどが挙げられる。また、場合によっては走行距離を表示してもよい。
【００４３】
また、例えば、表示パネル５０には、ナビゲーションシステムの画像３２を表示することができる。ナビゲーションシステムの画像３２としては、目的地、目的地までの距離、方向案内表示、現在地を示す地図などが挙げられる。
【００４４】
また、例えば、表示パネル５０には、後写鏡（インナーリアビューミラー）の代わりとして、移動体の後方の画像３３を表示することができる。なお、この場合、移動体の後方を撮影する手段として、移動体の後部に撮像装置を設ける必要がある。
【００４５】
また、図示していないが、例えば、表示パネル５０には、方向指示器、ヘッドランプの上向き表示灯、水温計、フォグランプ、エンジン警告灯、油圧警告灯、充電警告灯バッテリ、シートベルト未装着者警告灯、ブレーキ警告灯などの表示灯、警告灯などを表示することができる。
【００４６】
本発明の一態様は、上述の形態に限定されない。例えば、本発明の一態様は、ダッシュボード１２上に投影装置を設けて、フロントガラスに映像を投影する表示システムであってもよい。
【００４７】
＜表示システムの原理＞
移動体のフロントガラス、又はインパネは、デザイン性の観点から曲面など複雑な形状をしている。フロントガラス、又はインパネに表示装置を組み込んだとき、運転者の視覚に対して本来伝えるべき画像情報を表示装置の形状に合わせて画像処理を施した画像データとする必要がある。
【００４８】
例えば、図１（Ａ）に示すように、点Ｃ０に位置する運転者の視覚に対して本来伝えるべき画像情報ＰＩＮＦＯをフロントガラス、又はインパネの形状に合わせた表示装置ＤＳＰに投影する場合を考える。より具体的には、図１（Ｂ）に示すように、一点鎖線Ａ１−Ａ２上の点Ａ［１］乃至点Ａ［ｎ］（ここでのｎは２以上の整数である。）の画像データを、一点鎖線Ｂ１−Ｂ２上の点Ｂ［１］乃至点Ｂ［ｎ］に投影する必要がある。なお、ここで、一点鎖線Ａ１−Ａ２上の点Ａ［１］乃至点Ａ［ｎ］は等間隔に並んでいるとする。
【００４９】
この時、点Ｂ［１］−点Ｂ［２］間の距離は点Ｂ［ｎ−１］−点Ｂ［ｎ］間の距離に対して短くなっていることがわかる。つまり、点Ｂ［１］−点Ｂ［２］間は、点Ｂ［ｎ−１］−点Ｂ［ｎ］間と比べて表示領域が狭くなる。そのため、一点鎖線Ａ１−Ａ２上の点Ａ［１］乃至点Ａ［ｎ］の画像データを、点Ｂ［１］−点Ｂ［２］間においては、点Ｂ［ｎ−１］−点Ｂ［ｎ］間よりも空間的に圧縮した画像データとなるように画像処理を施す必要がある。逆に言うと、点Ｂ［ｎ−１］−点Ｂ［ｎ］間は、点Ｂ［１］−点Ｂ［２］間と比べて表示領域が広くなるため、一点鎖線Ａ１−Ａ２上の点Ａ［１］乃至点Ａ［ｎ］の画像データを、点Ｂ［ｎ−１］−点Ｂ［ｎ］間においては点Ｂ［１］−点Ｂ［２］間よりも空間的に伸長した画像データとなるように画像処理を施す必要がある。
【００５０】
例えば、該画像処理を施す方法として、ディスプレイの表示用ドライバのクロック周波数を変調する方法が挙げられる。具体的には、画像データを空間的に圧縮する場合には、表示用ドライバのクロック周波数を低くし、また、画像データを空間的に伸長する場合には表示用ドライバのクロック周波数を高くする方法が挙げられる。
【００５１】
また、運転者の位置に応じてクロック周波数を変調することで、運転者が常に自然な画像を観ることができる方法を適用してもよい。例えば、図１（Ｃ）に示すとおり、点Ｃ０の位置から点Ｃ１の位置に運転者が移動した場合、点Ｃ１に位置する運転者の視覚に対して本来伝えるべき画像情報ＰＩＮＦＯをフロントガラスの形状に合わせた表示装置ＤＳＰに投影する必要がある。この場合、単数又は複数の撮像センサ４０を用いて、点Ｃ１に位置する運転者を特定して、一点鎖線Ａ１−Ａ２上の点Ａ［１］乃至点Ａ［ｎ］の画像デタを新たに投影する一点鎖線Ｂ１−Ｂ２上の点ｂ［１］乃至点ｂ［ｎ］を算出すればよい。
【００５２】
＜表示システムの動作例＞
上述の画像処理を施す方法を実施するための形態を、図５乃至図７を用いて説明する。図５はディスプレイの表示用ドライバ、図６及び図７は表示用ドライバのタイミングチャートを示す。
【００５３】
図５に示す表示用ドライバ１０００は、シフトレジスタＳＲと、ＡＮＤ回路ＡＤ［１］乃至ＡＮＤ回路ＡＤ［ｎ］（ここでのｎは１以上の整数である。）と、ラッチ回路ＬＡ１［１］乃至ラッチ回路ＬＡ１［ｎ］と、ラッチ回路ＬＡ２［１］乃至ラッチ回路ＬＡ２［ｎ］と、デジタルアナログ変換回路ＤＡＣ［１］乃至デジタルアナログ変換回路ＤＡＣ［ｎ］と、を有する。ここで、ラッチ回路ＬＡ１［１］乃至ラッチ回路ＬＡ１［ｎ］、及びラッチ回路ＬＡ２［１］乃至ラッチ回路ＬＡ２［ｎ］は、複数ビットのデータを保持するラッチ回路である。
【００５４】
シフトレジスタＳＲは、ラッチ回路ＳＲ［０］乃至ラッチ回路ＳＲ［ｎ］を有する。ラッチ回路ＳＲ［０］の入力端子Ｄは、配線ＳＰと電気的に接続されている。ラッチ回路ＳＲ［ｊ−１］（ここでのｊは１以上ｎ以下の整数である。）の出力端子Ｑは、ラッチ回路ＳＲ［ｊ］の入力端子Ｄと電気的に接続されている。
【００５５】
ラッチ回路ＳＲ［ｈｅｖｅｎ］（ここでのｈｅｖｅｎは０以上ｎ以下の整数のうちの偶数である。）のクロック入力端子は、配線ＳＣＬＫと電気的に接続され、ラッチ回路ＳＲ［ｈｏｄｄ］（ここでのｈｏｄｄは１以上ｎ以下の整数のうちの奇数である。）のクロック入力端子は、配線ＳＣＬＫＢと電気的に接続されている。なお、図５において、ｎ−１は偶数とし、ｎは奇数としている。
【００５６】
ＡＮＤ回路ＡＤ［ｊ］の第１入力端子は、ラッチ回路ＳＲ［ｊ−１］の出力端子Ｑと電気的に接続され、ＡＮＤ回路ＡＤ［ｊ］の第２入力端子は、ラッチ回路ＳＲ［ｊ］の出力端子Ｑと電気的に接続されている。ＡＮＤ回路ＡＤ［ｊ］の出力端子（以後、端子ＳＥＬ［ｊ］と記載する。）は、ラッチ回路ＬＡ１［ｊ］のクロック入力端子と電気的に接続されている。
【００５７】
ラッチ回路ＬＡ１［ｊ］の入力端子Ｄは、配線ＤＡＴと電気的に接続されている。ラッチ回路ＬＡ１［ｊ］の出力端子Ｑは、ラッチ回路ＬＡ２［ｊ］の入力端子Ｄと電気的に接続されている。
【００５８】
ラッチ回路ＬＡ２［ｊ］のクロック入力端子は、配線ＬＡＴと電気的に接続されている。ラッチ回路ＬＡ２［ｊ］の出力端子Ｑは、デジタルアナログ変換回路ＤＡＣ［ｊ］の入力端子と電気的に接続されている。
【００５９】
デジタルアナログ変換回路ＤＡＣ［ｊ］の出力端子は、信号線Ｓ［ｊ］と電気的に接続されている。
【００６０】
シフトレジスタＳＲの１段目のラッチ回路ＳＲ［０］の入力端子Ｄには、配線ＳＰよりスタート信号が入力される。シフトレジスタＳＲは、配線ＳＣＬＫ、及び配線ＳＣＬＫＢに入力されるクロック信号に同期して、前段のラッチ回路に保持された信号を、後段のラッチ回路の入力端子Ｄに入力する。つまり、配線ＳＣＬＫ及び配線ＳＣＬＫＢからシフトレジスタＳＲにクロック信号が送られる度に、前の段の出力端子Ｑからの出力信号が、次の段の出力端子Ｑから出力される。配線ＳＣＬＫＢのクロック信号は、配線ＳＣＬＫのクロック信号の反転信号としても良いし、配線ＳＣＬＫのクロック信号と２相クロックとすることもできる。
【００６１】
シフトレジスタＳＲの出力に応じて、ラッチ回路ＬＡ１［１］乃至ラッチ回路ＬＡ１［ｎ］のうち、対応する段のラッチ回路に画像データが保持される。具体的には、シフトレジスタＳＲにおいて、隣接する段の出力が共に”１”の場合、ＡＮＤ回路の第１入力端子及び第２入力端子にそれぞれ”１”が入力されるため、ラッチ回路ＬＡ１［１］乃至ラッチ回路ＬＡ１［ｎ］のうち、対応する段のラッチ回路のクロック入力端子に”１”が入力される。このタイミングで、配線ＤＡＴから画像データを入力することで、該画像データが対応する段のラッチ回路に保持される。さらに、配線ＬＡＴから“１”の信号が入力された場合、ラッチ回路ＬＡ１［１］乃至ラッチ回路ＬＡ１［ｎ］の各段の保持した画像データは、ラッチ回路ＬＡ２［１］乃至ラッチ回路ＬＡ２［ｎ］のそれぞれの入力端子Ｄに入力される。つまり、ラッチ回路ＬＡ１［１］乃至ラッチ回路ＬＡ１［ｎ］の各段の保持した画像データのそれぞれが、ラッチ回路ＬＡ２［１］乃至ラッチ回路ＬＡ２［ｎ］に保持される。ラッチ回路ＬＡ２［１］乃至ラッチ回路ＬＡ２［ｎ］のそれぞれの出力信号は、デジタルアナログ変換回路ＤＡＣ［１］乃至デジタルアナログ変換回路ＤＡＣ［ｎ］によって、アナログ信号に変換されて、信号線Ｓ［１］乃至信号線Ｓ［ｎ］に出力される。
【００６２】
なお、本明細書において、配線ＤＡＴから送られる画像データは、画像データＤ［１］乃至画像データＤ［ｎ］と記載するものとする。また、画像データＤ［１］乃至画像データＤ［ｎ］のそれぞれは、複数ビットの画像データであるとする。
【００６３】
なお、図５では、表示用ドライバ１０００、シフトレジスタＳＲ、配線ＳＣＬＫ、配線ＳＣＬＫＢ、配線ＳＰ、配線ＤＡＴ、配線ＬＡＴ、ＡＮＤ回路ＡＤ［１］、ＡＮＤ回路ＡＤ［２］、ＡＮＤ回路ＡＤ［３］、ＡＮＤ回路ＡＤ［ｎ−２］、ＡＮＤ回路ＡＤ［ｎ−１］、ＡＮＤ回路ＡＤ［ｎ］、端子ＳＥＬ［１］、端子ＳＥＬ［２］、端子ＳＥＬ［３］、端子ＳＥＬ［ｎ−２］、端子ＳＥＬ［ｎ−１］、端子ＳＥＬ［ｎ］、ラッチ回路ＬＡ１［１］、ラッチ回路ＬＡ１［２］、ラッチ回路ＬＡ１［３］、ラッチ回路ＬＡ１［ｎ−２］、ラッチ回路ＬＡ１［ｎ−１］、ラッチ回路ＬＡ１［ｎ］、ラッチ回路ＬＡ２［１］、ラッチ回路ＬＡ２［２］、ラッチ回路ＬＡ２［３］、ラッチ回路ＬＡ２［ｎ−２］、ラッチ回路ＬＡ２［ｎ−１］、ラッチ回路ＬＡ２［ｎ］、入力端子Ｄ、出力端子Ｑ、デジタルアナログ変換回路ＤＡＣ［１］、デジタルアナログ変換回路ＤＡＣ［２］、デジタルアナログ変換回路ＤＡＣ［３］、デジタルアナログ変換回路ＤＡＣ［ｎ−２］、デジタルアナログ変換回路ＤＡＣ［ｎ−１］、デジタルアナログ変換回路ＤＡＣ［ｎ］、信号線Ｓ［１］、信号線Ｓ［２］、信号線Ｓ［３］、信号線Ｓ［ｎ−２］、信号線Ｓ［ｎ−１］、信号線Ｓ［ｎ］、ラッチ回路ＳＲ［０］、ラッチ回路ＳＲ［１］、ラッチ回路ＳＲ［２］、ラッチ回路ＳＲ［３］、ラッチ回路ＳＲ［ｎ−２］、ラッチ回路ＳＲ［ｎ−１］、ラッチ回路ＳＲ［ｎ］のみを図示しており、それら以外の回路、配線、素子、符号については省略している。
【００６４】
＜＜ディスプレイが平面の場合＞＞
図６に、ディスプレイに表示する画像データを空間的に変調しない場合のタイミングチャートを示す。具体的には、図６は、ディスプレイが平面の場合のタイミングチャートに相当する。
【００６５】
図６のタイミングチャートは、配線ＳＰ、配線ＳＣＬＫ、配線ＳＣＬＫＢ、端子ＳＥＬ［１］、端子ＳＥＬ［２］、端子ＳＥＬ［３］、端子ＳＥＬ［ｎ−２］、端子ＳＥＬ［ｎ−１］、端子ＳＥＬ［ｎ］、及び配線ＬＡＴに印加される電位の変化を示している。なお、図６において、信号”１”（本明細書では別の記載として、高レベル電位と表記している場合がある）は、Ｈｉｇｈと表記し、信号”０”（本明細書では別の記載として、低レベル電位と表記している場合がある）は、Ｌｏｗと表記している。また、図６のタイミングチャートは、配線ＤＡＴ、信号線Ｓ［１］、信号線Ｓ［２］、信号線Ｓ［３］、信号線Ｓ［ｎ−２］、信号線Ｓ［ｎ−１］、及び信号線Ｓ［ｎ］に入力されるデータも示している。
【００６６】
時刻Ｔ０１から時刻Ｔ０３までの間において、スタート信号の値を”１”とする。つまり、配線ＳＰから送られる電位を高レベル電位としている。また、時刻Ｔ０１から時刻Ｔ１２までの間において、配線ＳＣＬＫ、及び配線ＳＣＬＫＢからクロック信号を入力し、該クロック信号を周期的にトグルさせる。なお、配線ＳＣＬＫＢからのクロック信号は、配線ＳＣＬＫからのクロック信号の反転信号となっている。
【００６７】
これにより、時刻Ｔ０３から時刻Ｔ０４までの間において、端子ＳＥＬ［１］から出力される信号は”１”となる。このとき、配線ＤＡＴから画像データＤ［１］が入力され、ラッチ回路ＬＡ１［１］に画像データＤ［１］が保持される。
【００６８】
時刻Ｔ０４から時刻Ｔ０５までの間において、端子ＳＥＬ［２］から出力される信号は”１”となる。このとき、配線ＤＡＴから画像データＤ［２］が入力され、ラッチ回路ＬＡ１［２］に画像データＤ［２］が保持される。
【００６９】
時刻Ｔ０５から時刻Ｔ０６までの間において、端子ＳＥＬ［３］から出力される信号は”１”となる。このとき、配線ＤＡＴから画像データＤ［３］が入力され、ラッチ回路ＬＡ１［３］に画像データＤ［３］が保持される。
【００７０】
時刻Ｔ０９から時刻Ｔ１０までの間において、端子ＳＥＬ［ｎ−２］から出力される信号は”１”となる。このとき、配線ＤＡＴから画像データＤ［ｎ−２］が入力され、ラッチ回路ＬＡ１［ｎ−２］に画像データＤ［ｎ−２］が保持される。
【００７１】
上述の時刻Ｔ０９から時刻Ｔ１０までの間と同様の動作によって、時刻Ｔ０６から時刻Ｔ０９までの間において、ラッチ回路ＬＡ１［４］乃至ラッチ回路ＬＡ１［ｎ−３］に、それぞれ画像データＤ［４］乃至画像データＤ［ｎ−３］が保持される。
【００７２】
時刻Ｔ１０から時刻Ｔ１１までの間において、端子ＳＥＬ［ｎ−１］から出力される信号は”１”となる。このとき、配線ＤＡＴから画像データＤ［ｎ−１］が入力され、ラッチ回路ＬＡ１［ｎ−１］に画像データＤ［ｎ−１］が保持される。
【００７３】
時刻Ｔ１１から時刻Ｔ１２までの間において、端子ＳＥＬ［ｎ］から出力される信号は”１”となる。このとき、配線ＤＡＴから画像データＤ［ｎ］が入力され、ラッチ回路ＬＡ１［ｎ］に画像データＤ［ｎ］が保持される。
【００７４】
時刻Ｔ１３から時刻Ｔ１４までの間において、配線ＬＡＴから”１”が入力される。これにより、ラッチ回路ＬＡ２［１］乃至ラッチ回路ＬＡ２［ｎ］には、画像データＤ［１］乃至Ｄ［ｎ］が保持される。そして、デジタルアナログ変換回路ＤＡＣ［１］乃至デジタルアナログ変換回路ＤＡＣ［ｎ］によって、画像データＤ［１］乃至画像データＤ［ｎ］がそれぞれアナログデータＡ［１］乃至アナログデータＡ［ｎ］に変換されて、アナログデータＡ［１］乃至アナログデータＡ［ｎ］が、信号線Ｓ［１］乃至信号線Ｓ［ｎ］に出力される。
【００７５】
＜＜ディスプレイが曲面の場合＞＞
図７に、ディスプレイに表示する画像データを空間的に変調した場合のタイミングチャートを示す。具体的には、図７は、ディスプレイが曲面の場合のタイミングチャートに相当する。ここでは、一例として、信号線Ｓ［１］及び信号線Ｓ［２］の対応する画素（以後、第１表示領域と記載する。）に空間的に圧縮した画像データを表示し、信号線Ｓ［３］乃至信号線Ｓ［ｎ−３］の対応する画素（以後、第２表示領域と記載する。）にディスプレイが平面の場合の画像データを表示し、信号線Ｓ［ｎ−２］乃至信号線Ｓ［ｎ］の対応する画素（以後、第３表示領域と記載する。）に空間的に伸長した画像データを表示するものとする。
【００７６】
図７のタイミングチャートに示す配線、及びＨｉｇｈ、Ｌｏｗなどの記載については、図６のタイミングチャートの説明を参照する。
【００７７】
なお、図７のタイミングチャートにおける配線ＤＡＴに送られる画像データは、図６のタイミングチャートにおける、配線ＤＡＴに送られる画像データと同一である。つまり、図７のタイミングチャートにおける、画像処理回路、又はＧＰＵで実行している演算処理は、図６のタイミングチャートの場合と異なっていない。このため、ディスプレイの形状が変わった場合に、下記の方法で表示用ドライバを動作することによって、画像処理回路、又はＧＰＵで実行している演算処理の全部、若しくは一部を軽減することができる。
【００７８】
時刻Ｔ２１から時刻Ｔ２３までの間において、スタート信号の値を”１”とする。つまり、配線ＳＰから送られる電位を高レベル電位としている。また、時刻Ｔ２１から時刻Ｔ３２までの間において、配線ＳＣＬＫ、及び配線ＳＣＬＫＢからクロック信号を入力し、該クロック信号を周期的にトグルさせる。なお、配線ＳＣＬＫＢからのクロック信号は、配線ＳＣＬＫからのクロック信号の反転信号となっている。
【００７９】
ただし、時刻Ｔ２３から時刻Ｔ２７までにおけるトグル周期は、時刻Ｔ２７から時刻Ｔ３０までにおけるトグル周期の２倍とする。また、時刻Ｔ３０から時刻Ｔ３２までにおけるトグル周期は、時刻Ｔ２７から時刻Ｔ３０までにおけるトグル周期の１／２倍とする。
【００８０】
これにより、時刻Ｔ２３から時刻Ｔ２５までの間において、端子ＳＥＬ［１］から出力される信号は”１”となる。このとき、配線ＤＡＴから画像データＤ［１］及び画像データＤ［２］が入力されるが、ラッチ回路ＬＡ１［１］に保持されるのは後から入力された画像データＤ［２］となる。
【００８１】
時刻Ｔ２５から時刻Ｔ２７までの間において、端子ＳＥＬ［２］から出力される信号は”１”となる。このとき、配線ＤＡＴから画像データＤ［３］及び画像データＤ［４］が入力されるが、ラッチ回路ＬＡ１［２］に保持されるのは後から入力された画像データＤ［４］となる。
【００８２】
時刻Ｔ２７から時刻Ｔ２８までの間において、端子ＳＥＬ［３］から出力される信号は”１”となる。このとき、配線ＤＡＴから画像データＤ［５］が入力され、ラッチ回路ＬＡ１［３］に画像データＤ［５］が保持される。
【００８３】
上述の時刻Ｔ２７から時刻Ｔ２８までの間と同様の動作によって、時刻Ｔ２８から時刻Ｔ３０までの間において、ラッチ回路ＬＡ１［４］乃至ラッチ回路ＬＡ１［ｎ−４］に、それぞれ画像データＤ［６］乃至画像データＤ［ｎ−２］が保持される。
【００８４】
時刻Ｔ３０から時刻Ｔ３０．５までの間において、端子ＳＥＬ［ｎ−３］から出力される信号は”１”となる。このとき、配線ＤＡＴから画像データＤ［ｎ−１］が入力され、ラッチ回路ＬＡ１［ｎ−３］に画像データＤ［ｎ−１］が保持される（図示しない。）。
【００８５】
時刻Ｔ３０．５から時刻Ｔ３１までの間において、端子ＳＥＬ［ｎ−２］から出力される信号は”１”となる。このとき、配線ＤＡＴから画像データＤ［ｎ−１］が入力され、ラッチ回路ＬＡ１［ｎ−２］に画像データＤ［ｎ−１］が保持される。
【００８６】
時刻Ｔ３１から時刻Ｔ３１．５までの間において、端子ＳＥＬ［ｎ−１］から出力される信号は”１”となる。このとき、配線ＤＡＴから画像データＤ［ｎ］が入力され、ラッチ回路ＬＡ１［ｎ−１］に画像データＤ［ｎ］が保持される。
【００８７】
時刻Ｔ３１．５から時刻Ｔ３２までの間において、端子ＳＥＬ［ｎ］から出力される信号は”１”となる。このとき、配線ＤＡＴから画像データＤ［ｎ］が入力され、ラッチ回路ＬＡ１［ｎ］に画像データＤ［ｎ］が保持される。
【００８８】
時刻Ｔ３３から時刻Ｔ３４までの間において、配線ＬＡＴから”１”が入力される。これにより、ラッチ回路ＬＡ２［１］乃至ラッチ回路ＬＡ２［ｎ］には、それぞれ画像データＤ［２］、画像データＤ［４］、画像データＤ［５］乃至画像データＤ［ｎ−１］、画像データＤ［ｎ−１］、画像データＤ［ｎ］、画像データＤ［ｎ］が保持される。そして、デジタルアナログ変換回路ＤＡＣ［１］乃至デジタルアナログ変換回路ＤＡＣ［ｎ］によって、画像データＤ［２］、画像データＤ［４］、画像データＤ［５］乃至画像データＤ［ｎ−１］、画像データＤ［ｎ−１］、画像データＤ［ｎ］、画像データＤ［ｎ］がそれぞれアナログデータＡ［２］、アナログデータＡ［４］、アナログデータＡ［５］乃至アナログデータＡ［ｎ−２］、アナログデータＡ［ｎ−１］、アナログデータＡ［ｎ−１］、アナログデータＡ［ｎ］、アナログデータＡ［ｎ］に変換されて、アナログデータＡ［２］、アナログデータＡ［４］、アナログデータＡ［５］乃至アナログデータＡ［ｎ−２］、アナログデータＡ［ｎ−１］、アナログデータＡ［ｎ−１］、アナログデータＡ［ｎ］、アナログデータＡ［ｎ］が信号線Ｓ［１］乃至信号線Ｓ［ｎ］に出力される。
【００８９】
これにより、信号線Ｓ［１］及び信号線Ｓ［２］の対応する画素には、表示用ドライバに送出された画像データに対して、間引きされた画像データが入力される。これは、第１表示領域に、空間的に圧縮された画像データが出力されることに相当する。また、信号線Ｓ［３］乃至信号線Ｓ［ｎ−３］の対応する画素には、表示用ドライバに送出された画像データが間引き及び伸長されずに入力される。これは、第２表示領域に、ディスプレイが平面の場合の画像データが出力されることに相当する。更に、信号線Ｓ［ｎ−２］乃至信号線Ｓ［ｎ］の対応する画素には、表示用ドライバに送出された画像データに対して、重複された画像データが入力される。これは、第３表示領域に、空間的に伸長された画像データが出力されることに相当する。
【００９０】
このように、ディスプレイの表示用ドライバのクロック周波数を変調することで、画像データの空間的な変調に対応した画像処理を実行できることができる。
【００９１】
なお、本発明の一態様は、上述の動作例に限定されない。ディスプレイがより複雑な形状の場合は、上述した第１乃至第３表示領域よりも多く表示領域を分割し、表示領域毎に、より緻密にクロック周波数を変調させればよい。
【００９２】
また、曲面などの複雑な形状の表示装置の場合、運転者の位置によっては、自然な映像を正しく表示できない場合がある。その場合、図１（Ｃ）にて説明をしたとおり、運転者の位置を特定できるように、複数の撮像センサを設ければよい。該複数の撮像センサによって、運転者の位置を特定したあとは、その位置情報に基づいて、ディスプレイの表示用ドライバのクロック周波数を適当に変調すればよい。
【００９３】
＜クロック周波数の変調方法＞
ここでは、本発明の一態様のシステムに用いられるクロック信号の生成、又は変調を行う装置について説明する。
【００９４】
図８にクロック信号の生成、又は変調を行う装置を示す。装置１００は、クロック信号等の交流信号を生成する機能を有し、発振器（発振回路ともいう）と呼んでもよい。特に、装置１００は、入力電圧に基づいて信号の周波数（発振周波数ともいう）を変更する機能を有し、電圧制御発振器（電圧制御発振回路ともいう）とも呼んでもよい。
【００９５】
装置１００は、回路１０１［１］乃至回路１０１［ｎ］（ここでのｎは３以上の奇数である。）を有する。回路１０１［１］乃至回路１０１［ｎ］は、リング状に接続される。具体的には、回路１０１［１］乃至回路１０１［ｎ−１］のそれぞれは、出力端子が次段の回路の入力端子と接続される。回路１０１［ｎ］は、出力端子が回路１０１［１］の入力端子と接続される。また、回路１０１［ｎ］の出力端子は、端子ＯＵＴと接続される。端子ＯＵＴからは、装置１００が発振することによって生成される信号が出力される。
【００９６】
なお、本発明の一態様の表示システムでは、端子ＯＵＴを表示用ドライバ１０００の配線ＳＣＬＫ又は配線ＳＣＬＫＢに接続することで、表示用ドライバ１０００にクロック信号の供給を行う。また、装置１００によって生成されて、且つ端子ＯＵＴから出力される信号は、バッファ等を介して出力されてもよい。
【００９７】
回路１０１［１］乃至回路１０１［ｎ］のそれぞれは、入力信号に対し反転した信号を出力する機能を有する。また、回路１０１［１］乃至回路１０１［ｎ］のそれぞれは、複数のデータを格納する機能を有し、格納した複数のデータに基づいて遅延時間を設定する機能を有する。遅延時間とは、入力信号に対する出力信号の遅延時間である。回路１０１［１］乃至回路１０１［ｎ］のそれぞれは、複数のデータを格納することができるため、遅延時間を切り替えることができる。
【００９８】
つまり、装置１００は、回路１０１［１］乃至回路１０１［ｎ］のそれぞれの遅延時間を切り替えることによって、発振周波数を変更することができる。
【００９９】
回路１０１［１］乃至回路１０１［ｎ］のそれぞれは、回路１０２及びインバータ１０３を有する。回路１０２は、端子Ａ１がインバータ１０３の出力端子と接続され、端子Ａ２が次段のインバータ１０３の入力端子と接続される。即ち、ｎ個のインバータ１０３がリング状に接続され、インバータリングを構成する。そして、各インバータ１０３の間に回路１０２が接続される。また、回路１０２は、配線ＢＬ、配線ＣＯＮＴＥＸＴ［１］乃至配線ＣＯＮＴＥＸＴ［ｍ］（ｍは２以上の自然数である。）、及び配線ＷＬ［１］乃至配線ＷＬ［ｍ］と接続される。
【０１００】
なお、ｎ個のインバータ１０３のうち少なくとも２つの間に回路１０２を接続してもよい。
【０１０１】
回路１０２は、複数のデータを記憶する機能を有し、格納した複数のデータに基づいて端子Ａ１と端子Ａ２との間の抵抗値を設定する機能を有する。回路１０２は、複数のデータを格納することができるため、端子Ａ１と端子Ａ２との間の抵抗値を切り替えることができる。
【０１０２】
インバータ１０３は、入力信号に対し反転した信号を出力する機能を有する。
【０１０３】
なお、インバータ１０３の代わりに、入力信号に対し反転した信号を出力する機能を有する回路を採用してもよい。そのような回路としては、ＮＡＮＤ回路又はＮＯＲ回路などがある。
【０１０４】
装置１００は、回路１０１［１］乃至回路１０１［ｎ］のそれぞれにおいて、回路１０２の端子Ａ１と端子Ａ２との間の抵抗値を切り替えることにより、発振周波数を変更することができる。具体的には、回路１０２の端子Ａ１と端子Ａ２との間の抵抗値を切り替えると、インバータ１０３の負荷が変化する。よって、回路１０１［１］乃至回路１０１［ｎ］のそれぞれにおいて遅延時間が変化するため、発振周波数も変化する。
【０１０５】
回路１０２の具体例について、図９を参照して説明する。
【０１０６】
図９に例示する回路１０２は、データ保持回路１０４［１］乃至データ保持回路１０４［ｍ］を有する。データ保持回路１０４［１］乃至データ保持回路１０４［ｍ］のそれぞれが端子Ｂ１及び端子Ｂ２を有し、それぞれの端子Ｂ１が回路１０２の端子Ａ１と接続され、それぞれの端子Ｂ２が回路１０２の端子Ａ２と接続される。また、データ保持回路１０４［１］乃至データ保持回路１０４［ｍ］のそれぞれは、配線ＢＬ、配線ＣＯＮＴＥＸＴ［１］乃至配線ＣＯＮＴＥＸＴ［ｍ］のうち対応する１本の配線、配線ＷＬ［１］乃至配線ＷＬ［ｍ］のうち対応する１本の配線と接続される。配線ＷＬ［１］乃至配線ＷＬ［ｍ］のうち対応する１本の配線とは、データ保持回路１０４［ｊ］（ここでのｊは１乃至ｍのいずれか一の整数である。）においては配線ＷＬ［ｊ］である。また、配線ＣＯＮＴＥＸＴ［１］乃至配線ＣＯＮＴＥＸＴ［ｍ］のうち対応する１本の配線とは、データ保持回路１０４［ｊ］においては配線ＣＯＮＴＥＸＴ［ｊ］である。
【０１０７】
データ保持回路１０４［１］乃至データ保持回路１０４［ｍ］のそれぞれは、トランジスタ１０５、トランジスタ１０６、トランジスタ１０７及び容量素子１０８を有する。トランジスタ１０５の第１端子は配線ＢＬと接続され、トランジスタ１０５の第２端子はトランジスタ１０６のゲートと接続され、トランジスタ１０５のゲートは配線ＷＬ［１］乃至配線ＷＬ［ｍ］のうち対応する１本の配線と接続される。トランジスタ１０６の第１端子は端子Ｂ１と接続される。トランジスタ１０７の第１端子はトランジスタ１０６の第２端子と接続され、トランジスタ１０７の第２端子は端子Ｂ２と接続され、トランジスタ１０７のゲートは配線ＣＯＮＴＥＸＴ［１］乃至配線ＣＯＮＴＥＸＴ［ｍ］のうち対応する１本の配線と接続される。容量素子１０８の第１端子はトランジスタ１０６のゲートと接続され、容量素子１０８の第２端子は所定の電位が供給される配線と接続される。
【０１０８】
なお、トランジスタ１０６及びトランジスタ１０７は端子Ｂ１と端子Ｂ２との間に直列に接続されていればよく、トランジスタ１０６及びトランジスタ１０７は入れ替わっていてもよい。
【０１０９】
回路１０２の端子Ａ１と端子Ａ２との間の抵抗値は、データ保持回路１０４［１］乃至データ保持回路１０４［ｍ］のそれぞれの端子Ｂ１と端子Ｂ２との間の抵抗値の合成抵抗と概ね等しくなる。よって、回路１０２の端子Ａ１と端子Ａ２との間の抵抗値の切り替えは、データ保持回路１０４［１］乃至データ保持回路１０４［ｍ］のそれぞれにおいて端子Ｂ１と端子Ｂ２との間の抵抗値を制御することによって行うことができる。
【０１１０】
データ保持回路１０４［１］乃至データ保持回路１０４［ｍ］のそれぞれは、ノードＳＮに電位を格納し、その電位に基づいてトランジスタ１０６の第１端子と第２端子との間の抵抗値を設定する機能を有する。ノードＳＮへの電位の格納は、トランジスタ１０５をオンにすることにより、配線ＢＬの電位をノードＳＮに入力するとともに、配線ＢＬの電位に基づいた電荷を容量素子１０８に蓄積することによって行うことができる。また、データ保持回路１０４［１］乃至データ保持回路１０４［ｍ］のそれぞれは、ノードＳＮにアナログ電位を格納することができる。よって、データ保持回路１０４［１］乃至データ保持回路１０４［ｍ］のそれぞれにおいて、ノードＳＮに異なる電位を格納し、トランジスタ１０６の第１端子と第２端子との間の抵抗値を異ならせることができる。トランジスタ１０６がｎチャネル型であれば、ノードＳＮの電位が高いほど、トランジスタ１０６の第１端子と第２端子との間の抵抗値が小さくなる。また、トランジスタ１０６がｐチャネル型であれば、ノードＳＮの電位が低いほど、トランジスタ１０６のソースとドレインとの間の抵抗値が小さくなる。
【０１１１】
トランジスタ１０５としては、チャネル形成領域に酸化物半導体を有するトランジスタを採用することが好ましい。後述するとおり、チャネル形成領域に酸化物半導体を有するトランジスタはオフ電流が小さいため、容量素子１０８からの電荷の漏れを少なくすることができる。特に、アナログ電位に基づいた電荷を容量素子１０８に蓄積する場合、トランジスタ１０５としてチャネル形成領域に酸化物半導体を有するトランジスタを採用する効果がより顕著に表れる。
【０１１２】
なお、ノードＳＮに格納する電位は、トランジスタ１０６がオンになる電位であることが好ましい。よって、トランジスタ１０６の第１端子と第２端子との間の抵抗値はトランジスタ１０６のオン抵抗と言い換えることもできる。
【０１１３】
なお、トランジスタ１０６のゲート容量等のノードＳＮの寄生容量に配線ＢＬの電位に基づいた電荷を蓄積することができる場合、容量素子１０８を省略してもよい。
【０１１４】
データ保持回路１０４［１］乃至データ保持回路１０４［ｍ］のそれぞれは、端子Ｂ１と端子Ｂ２との導通又は非導通を切り替える機能を有する。端子Ｂ１と端子Ｂ２との間の導通又は非導通の切り替えは、トランジスタ１０７のオン又はオフを制御して行うことができる。トランジスタ１０７がオンであれば、端子Ｂ１と端子Ｂ２とは導通するため、端子Ｂ１と端子Ｂ２との間の抵抗値はトランジスタ１０６の第１端子と第２端子との間の抵抗値に依存した値になる。具体的には、端子Ｂ１と端子Ｂ２との間の抵抗値は、トランジスタ１０６の第１端子と第２端子との間の抵抗値とトランジスタ１０７がオンであるときの第１端子と第２端子との間の抵抗値との和と概ね等しくなる。一方、トランジスタ１０７がオフであれば、端子Ｂ１と端子Ｂ２とは非導通になるため、トランジスタ１０６の第１端子と第２端子との間の抵抗値に係らず、端子Ｂ１と端子Ｂ２とはハイインピーダンスになる。
【０１１５】
データ保持回路１０４［１］乃至データ保持回路１０４［ｍ］のそれぞれは、端子Ｂ１と端子Ｂ２とを非導通にするか、端子Ｂ１と端子Ｂ２との間の抵抗値を格納したデータに基づいた値にするかを切り替える機能を有する。
【０１１６】
回路１０２の端子Ａ１と端子Ａ２との間の抵抗値の切り替えは様々な方法を用いることが可能である。
【０１１７】
回路１０２の端子Ａ１と端子Ａ２との間の抵抗値の切り替えは、データ保持回路１０４［１］乃至データ保持回路１０４［ｍ］の中から端子Ｂ１と端子Ｂ２とを導通にする回路を１つ以上選択し、その数を制御することによって行うことができる。データ保持回路１０４［１］乃至データ保持回路１０４［ｍ］のそれぞれに同じデータが格納されている場合、データ保持回路１０４［１］乃至データ保持回路１０４［ｍ］のそれぞれにおいてトランジスタ１０６の第１端子と第２端子との間の抵抗値は同じである。そこで、データ保持回路１０４［１］乃至データ保持回路１０４［ｍ］のうち端子Ｂ１と端子Ｂ２とを導通にする回路の数を制御することにより、回路１０２の端子Ａ１と端子Ａ２との間の抵抗値を制御することができる。
【０１１８】
具体的には、図７の時刻Ｔ２３から時刻Ｔ２７までの間で、データ保持回路１０４［１］乃至データ保持回路１０４［ｍ］のうちＫ１個（Ｋ１は３以上ｍ以下の整数である。）選択して、端子Ａ１と端子Ａ２との間の抵抗値を第１抵抗値に定めて、第１クロック信号を生成する。加えて、図７の時刻Ｔ２７から時刻Ｔ３０までの間で、データ保持回路１０４［１］乃至データ保持回路１０４［ｍ］のうちＫ２個（Ｋ２は２以上ｍ以下で、かつＫ１よりも小さい整数である。）選択して、端子Ａ１と端子Ａ２との間の抵抗値を第２抵抗値に定めて、第２クロック信号を生成する。更に、図７の時刻Ｔ３０から時刻Ｔ３２までの間で、データ保持回路１０４［１］乃至データ保持回路１０４［ｍ］のうちＫ３個（Ｋ３は１以上ｍ以下で、かつＫ２よりも小さい整数である。）選択して、端子Ａ１と端子Ａ２との間の抵抗値を第３抵抗値に定めて、第３クロック信号を生成する。なお、Ｋ１個は、Ｋ２個よりも多く、Ｋ２個は、Ｋ３個よりも多いため、第１抵抗値は、第２抵抗値よりも高く、第２抵抗値は、第３抵抗値よりも高くなる。したがって、端子Ａ１と端子Ａ２との間の抵抗値が高いほど、入力信号に対して出力信号が遅延するため、第１クロック信号の周波数は、第２クロック信号の周波数よりも低く、第２クロック信号の周波数は、第３クロック信号の周波数よりも低くなる。
【０１１９】
回路１０２の端子Ａ１と端子Ａ２との間の抵抗値の切り替えは、データ保持回路１０４［１］乃至データ保持回路１０４［ｍ］の中から端子Ｂ１と端子Ｂ２とを導通にする回路を１つ選択し、その回路に格納されているデータに基づいて行うことができる。データ保持回路１０４［１］乃至データ保持回路１０４［ｍ］のそれぞれに異なるデータが格納されている場合、データ保持回路１０４［１］乃至データ保持回路１０４［ｍ］のそれぞれにおいてトランジスタ１０６の第１端子と第２端子との間の抵抗値は異なる。そこで、データ保持回路１０４［１］乃至データ保持回路１０４［ｍ］のうちどれを選択するかによって、回路１０２の端子Ａ１と端子Ａ２との間の抵抗値を制御することができる。
【０１２０】
具体的には、図７の時刻Ｔ２３から時刻Ｔ２７までの間で、データ保持回路１０４［１］乃至データ保持回路１０４［ｍ］のうちデータ保持回路１０４［ｋ１］（ｋ１は１以上ｍ以下の整数である。）を選択して、端子Ａ１と端子Ａ２との間の抵抗値を抵抗値Ｒｋ１に定めて、クロック信号ＣＬｋ１を生成する。加えて、図７の時刻Ｔ２７から時刻Ｔ３０までの間で、データ保持回路１０４［１］乃至データ保持回路１０４［ｍ］のうちデータ保持回路１０４［ｋ２］（ｋ２は１以上ｍ以下で、かつｋ１でない整数である。）を選択して、端子Ａ１と端子Ａ２との間の抵抗値を抵抗値Ｒｋ２に定めて、クロック信号ＣＬｋ２を生成する。更に、図７の時刻Ｔ３０から時刻Ｔ３２までの間で、データ保持回路１０４［１］乃至データ保持回路１０４［ｍ］のうちデータ保持回路１０４［ｋ３］（ｋ３は１以上ｍ以下で、かつｋ１及びｋ２でない整数である。）を選択して、端子Ａ１と端子Ａ２との間の抵抗値を抵抗値Ｒｋ３に定めて、クロック信号ＣＬｋ３を生成する。データ保持回路１０４［ｋ１］の端子Ｂ１と端子Ｂ２との間の抵抗値は、データ保持回路１０４［ｋ２］の端子Ｂ１と端子Ｂ２との間の抵抗値よりも高く、データ保持回路１０４［ｋ２］の端子Ｂ１と端子Ｂ２との間の抵抗値は、データ保持回路１０４［ｋ３］の端子Ｂ１と端子Ｂ２との間の抵抗値よりも高いものとする。そのため、抵抗値Ｒｋ１は、抵抗値Ｒｋ２よりも高く、抵抗値Ｒｋ２は、抵抗値Ｒｋ３よりも高くなる。したがって、端子Ａ１と端子Ａ２の抵抗値が高いほど、入力信号に対して出力信号が遅延するため、クロック信号ＣＬｋ１の周波数は、クロック信号ＣＬｋ２の周波数よりも低く、クロック信号ＣＬｋ２の周波数は、クロック信号ＣＬｋ３の周波数よりも低くなる。
【０１２１】
なお、上記２つの例を適宜組み合わせてもよい。即ち、データ保持回路１０４［１］乃至データ保持回路１０４［ｍ］のうち少なくとも２以上に異なるデータを格納するとともに、データ保持回路１０４［１］乃至データ保持回路１０４［ｍ］の中から端子Ｂ１と端子Ｂ２とを導通にする回路を１つ以上選択することによって、回路１０２の端子Ａ１と端子Ａ２との間の抵抗値を切り替えてもよい。
【０１２２】
具体的には、図７の時刻Ｔ２３から時刻Ｔ２７までの間で、データ保持回路１０４［１］乃至データ保持回路１０４［ｍ］を第１選択方法で選択して、端子Ａ１と端子Ａ２との間の抵抗値を抵抗値ＲＷ１に定めて、クロック信号ＣＬＷ１を生成する。加えて、図７の時刻Ｔ２７から時刻Ｔ３０までの間で、データ保持回路１０４［１］乃至データ保持回路１０４［ｍ］を第２選択方法で選択して、端子Ａ１と端子Ａ２との間の抵抗値を抵抗値ＲＷ２に定めて、クロック信号ＣＬＷ２を生成する。更に、図７の時刻Ｔ３０から時刻Ｔ３２までの間で、データ保持回路１０４［１］乃至データ保持回路１０４［ｍ］を第３選択方法で選択して、端子Ａ１と端子Ａ２との間の抵抗値を抵抗値ＲＷ３に定めて、クロック信号ＣＬＷ３を生成する。抵抗値ＲＷ１は、抵抗値ＲＷ２よりも高く、抵抗値ＲＷ２は、抵抗値ＲＷ３よりも高いものとする。したがって、端子Ａ１と端子Ａ２の抵抗値が高いほど、入力信号に対して出力信号が遅延するため、クロック信号ＣＬＷ１の周波数は、クロック信号ＣＬＷ２の周波数よりも低く、クロック信号ＣＬＷ２の周波数は、クロック信号ＣＬＷ３の周波数よりも低くなる。
【０１２３】
上述したような装置１００を用いることにより、本発明の一態様の表示システムに用いるクロック信号を生成することができる。また、回路１０２の端子Ａ１と端子Ａ２の抵抗値を増加することによって、周波数の低いクロック信号を生成することができ、又は、回路１０２の端子Ａ１と端子Ａ２の抵抗値を減少することによって、周波数の高いクロック信号を生成することができる。
【０１２４】
＜表示パネルの画素の構成例＞
本実施の形態では、上記表示システムに適用可能な表示パネルの画素の構成例について説明する。
【０１２５】
図１０（Ａ）は、表示パネルの構成例を説明するブロック図である。
【０１２６】
図１０（Ａ）に示す表示パネル５００は、駆動回路５４１、駆動回路５４２Ａ、駆動回路５４２Ｂ、及び画素部５４３を有する。なお、駆動回路５４１、駆動回路５４２Ａ、及び駆動回路５４２Ｂをまとめて「駆動回路」又は「周辺駆動回路」という場合がある。
【０１２７】
駆動回路５４２Ａ、駆動回路５４２Ｂは、例えば走査線駆動回路として機能できる。また、駆動回路５４１は、例えば信号線駆動回路として機能できる。なお、駆動回路５４２Ａ、及び駆動回路５４２Ｂは、どちらか一方のみとしてもよい。また、画素部５４３を挟んで駆動回路５４１と向き合う位置に、何らかの回路を設けてもよい。
【０１２８】
また、図１０（Ａ）に例示する表示パネル５００は、駆動回路５４２Ａ、及び／又は駆動回路５４２Ｂによって電位が制御されるｐ本（ｐは１以上の自然数。）の配線５４４と、駆動回路５４１によって電位が制御されるｑ本（ｑは１以上の自然数。）の配線５４５と、を有する。なお、ｐ本の配線５４４は、各々が略平行に配設されており、ｑ本の配線５４５は、各々が略平行に配設されている。さらに、画素部５４３はマトリクス状に配設された複数の画素５４６を有する。画素５４６は、画素回路及び表示素子を有する。
【０１２９】
また、３つの画素５４６を１つの画素として機能させることで、フルカラー表示を実現することができる。３つの画素５４６は、それぞれが赤色光、緑色光、又は青色光の、透過率、反射率、又は発光光量などを制御する。なお、３つの画素５４６で制御する光の色は赤、緑、青の組み合わせに限らず、黄、シアン、マゼンタであってもよい。
【０１３０】
また、赤色光、緑色光、青色光を制御する画素に、白色光を制御する画素５４６を加えて、４つの画素５４６をまとめて１つの画素として機能させてもよい。白色光を制御する画素５４６を加えることで、表示領域の輝度を高めることができる。また、１つの画素として機能させる画素５４６を増やし、赤、緑、青、黄、シアン、及びマゼンタを適宜組み合わせて用いることにより、再現可能な色域を広げることができる。
【０１３１】
ｇ行目の配線５４４＿ｇ（ｇは１以上ｐ以下の自然数。）は、画素部５４３においてｐ行ｑ列に配設された複数の画素５４６のうち、ｇ行に配設されたｑ個の画素５４６と電気的に接続される。また、ｈ列目の配線５４５＿ｈ（ｈは１以上ｑ以下の自然数。）は、ｐ行ｑ列に配設された画素５４６のうち、ｈ列に配設されたｐ個の画素５４６に電気的に接続される。
【０１３２】
表示パネル５００は、様々な形態を用いること、又は様々な表示素子を有することが出来る。表示素子の一例としては、ＥＬ（エレクトロルミネッセンス）素子（有機ＥＬ素子、無機ＥＬ素子、又は、有機物及び無機物を含むＥＬ素子）など、電気的作用により、輝度などが変化する表示媒体を有するものがある。
【０１３３】
図１０（Ｂ）に示す画素５４６Ａは、トランジスタ４６１と、容量素子４６３と、トランジスタ４６８と、トランジスタ４６４と、表示素子として機能できる発光素子４２６と、を有する。
【０１３４】
トランジスタ４６１のソース及びドレインの一方は、配線５４５＿ｈに電気的に接続される。さらに、トランジスタ４６１のゲートは、配線５４４＿ｇに電気的に接続される。配線５４５＿ｈからはビデオ信号が供給される。
【０１３５】
トランジスタ４６１は、ビデオ信号のノード４６５への書き込みを制御する機能を有する。
【０１３６】
容量素子４６３の一対の電極の一方は、ノード４６５に電気的に接続され、他方は、ノード４６７に電気的に接続される。また、トランジスタ４６１のソース及びドレインの他方は、ノード４６５に電気的に接続される。
【０１３７】
容量素子４６３は、ノード４６５に書き込まれたデータを保持する保持容量としての機能を有する。
【０１３８】
トランジスタ４６８のソース及びドレインの一方は、電位供給線ＶＬ＿ａに電気的に接続され、他方はノード４６７に電気的に接続される。さらに、トランジスタ４６８のゲートは、ノード４６５に電気的に接続される。
【０１３９】
トランジスタ４６４のソース及びドレインの一方は、配線Ｖ０に電気的に接続され、他方はノード４６７に電気的に接続される。さらに、トランジスタ４６４のゲートは、配線５４４＿ｇに電気的に接続される。
【０１４０】
発光素子４２６のアノード又はカソードの一方は、電位供給線ＶＬ＿ｂに電気的に接続され、他方は、ノード４６７に電気的に接続される。
【０１４１】
発光素子４２６としては、例えば有機エレクトロルミネセンス素子（有機ＥＬ素子ともいう）などを用いることができる。ただし、発光素子４２６としては、これに限定されず、例えば無機材料からなる無機ＥＬ素子を用いても良い。
【０１４２】
例えば、電位供給線ＶＬ＿ａ又は電位供給線ＶＬ＿ｂの一方には、高電源電位ＶＤＤが与えられ、他方には、低電源電位ＶＳＳが与えられる。
【０１４３】
図１０（Ｂ）の画素５４６Ａを有する表示パネル５００では、駆動回路５４２Ａ、及び／又は駆動回路５４２Ｂにより各行の画素５４６を順次選択し、トランジスタ４６１、をオン状態にしてビデオ信号をノード４６５に書き込む。
【０１４４】
ノード４６５にデータが書き込まれた画素５４６Ａは、トランジスタ４６１、及びトランジスタ４６４がオフ状態になることで保持状態になる。さらに、ノード４６５に書き込まれたデータの電位に応じてトランジスタ４６８のソースとドレインの間に流れる電流量が制御され、発光素子４２６は、流れる電流量に応じた輝度で発光する。これを行毎に順次行うことにより、画像を表示できる。
【０１４５】
また、トランジスタ４６１、トランジスタ４６４、及びトランジスタ４６８として、バックゲートを有するトランジスタを用いてもよい。この場合、トランジスタ４６１、トランジスタ４６４、及びトランジスタ４６８のゲートは、バックゲートと電気的に接続されていてもよい。
【０１４６】
なお上述したトランジスタ４６１、トランジスタ４６４、及びトランジスタ４６８としては、ＯＳトランジスタとすることが好ましい。ＯＳトランジスタは、上述したようにオフ電流が極めて低い。そのため、ＯＳトランジスタはノード４６５に一旦書き込んだデータの電位を保持し続けることが可能である。そのため、同じ画像を表示する場合にデータの書き込み頻度であるリフレッシュレートを小さくして消費電力を低減することができる。
【０１４７】
加えてＯＳトランジスタは、トランジスタのチャネル形成領域に低温ポリシリコン（ＬＴＰＳ（Ｌｏｗ  Ｔｅｍｐｅｒａｔｕｒｅ  Ｐｏｌｙ−Ｓｉｌｉｃｏｎ））を用いる場合と比べて、低温で作製することができる。そのため、トランジスタを形成する基材の耐熱温度を小さくすることができ、材料の選択の幅を広げることができる。中でも基材となるポリイミド等の樹脂層として数μｍと薄い基材を選択できるため、表示パネルの軽量化及び薄型化を実現できる。加えて、折り曲げが容易な表示パネルとすることができる。
【０１４８】
また発光素子４２６である有機ＥＬ素子は、液晶素子と比べて低温での応答速度が良好である。表示パネルを自動車に適用する場合、表示パネルを使用する環境温度の範囲は広い。このような場合であっても、有機ＥＬ素子を発光素子に適用した表示パネルは表示品位の低下を抑制することができる。
【０１４９】
加えて有機ＥＬ素子を発光素子に適用した表示パネルは、液晶素子に比べて視点の位置の違いによる輝度の変化が小さい。つまり、視野角依存性が小さい。そのため、表示パネルを自動車に適用する場合にメーター等の情報を表示する際、ボケのない正常な表示を行うことができる。
【０１５０】
＜表示システムの移動体への適用例＞
上述した表示システムに適用可能な表示パネルは、取り付ける面の形状に応じて適用することができる。以下、移動体である自動車の運転席周辺に適用する場合の例について説明する。
【０１５１】
例えば図１１は、自動車の室内におけるフロントガラス周辺を表す図である。図１１では、ダッシュボードに取り付けられた表示パネル５１Ａ、表示パネル５１Ｂ、表示パネル５１Ｃの他、ピラーに取り付けられた表示パネル５１Ｄを図示している。
【０１５２】
表示パネル５１Ａ乃至表示パネル５１Ｃは、ナビゲーション情報、スピードメーターやタコメーター、走行距離、給油量、ギア状態、エアコンの設定など、その他様々な情報を提供することができる。また、表示パネルに表示される表示項目やレイアウトなどは、ユーザの好みに合わせて適宜変更することができ、デザイン性を高めることが可能である。表示パネル５１Ａ乃至表示パネル５１Ｃは、照明装置として用いることも可能である。
【０１５３】
表示パネル５１Ｄには、車体に設けられた撮像手段からの映像を映し出すことによって、ピラーで遮られた視界（死角）を補完することができる。すなわち、自動車の外側に設けられた撮像手段からの画像を表示することによって、死角を補い、安全性を高めることができる。また、見えない部分を補完する映像を映すことによって、より自然に違和感なく安全確認を行うことができる。表示パネル５１Ｄは、照明装置として用いることも可能である。
【０１５４】
また図１２は、運転席と助手席にベンチシートを採用した自動車の室内を示している。図１２では、ドア部に設けられた表示パネル５２Ａ、ハンドルに設けられた表示パネル５２Ｂ、ベンチシートの座面の中央部に設けられた表示パネル５２Ｃを図示している。
【０１５５】
表示パネル５２Ａには、例えば、車体に設けられた撮像手段からの画像を表示部に映し出すことによって、ドアで遮られた視界を補完することができる。
【０１５６】
表示パネル５２Ｂ及び５２Ｃは、ナビゲーション情報、スピードメーターやタコメーター等のメーター、走行距離、給油量、ギア状態、エアコンの設定など、その他様々な情報を提供することができる。また、表示パネルに表示される表示項目やレイアウトなどは、ユーザの好みに合わせて適宜変更することができる。表示パネル５２Ｂ及び５２Ｃは、照明装置として用いることも可能である。
【０１５７】
図１１、図１２に示すように自動車の室内のあらゆる場所に表示パネルを配置し、表示パネルを照明装置として用いる場合、車外への緊急信号を伝える手段とすることも有効である。例えば、ユーザー（運転者）の健康状態をセンサ等で検出した場合、表示パネルの輝度を最大として点滅させる。本発明の一態様の表示システムにおける表示パネルは車内のあらゆる場所に設けることができるため、文字情報やハザードランプと比べて、周辺に情報を効果的に伝えることができる。
【０１５８】
上述した表示パネルのように本発明の一態様の表示システムは、湾曲した面に取り付けることが可能である。例えば、上述した表示パネル５１Ａ乃至表示パネル５１Ｄ及び表示パネル５２Ａ乃至表示パネル５２Ｃのように、自動車の室内のあらゆる場所に取り付けることが可能である。つまり図１３（Ａ）に示すダッシュボード１２やピラー１５のように、湾曲した面であっても取り付けることが可能である。そのため、図１３（Ｂ）に図示するように窓部６１以外の車体の内部の表面に表示パネル６０を設ける構成とすることも可能である。当該構成とすることで、窓部６１以外の自動車の外側の画像を表示できるため、死角を補い、安全性を高めることができる。
【０１５９】
図１３（Ｂ）のように、窓部６１以外の車体の内部の表面に表示パネルを設ける構成とする場合、図１４（Ａ）に図示するように車体の外側に複数の撮像装置７１Ｌ、撮像装置７２Ｌ、撮像装置７３Ｌ、撮像装置７１Ｒ、撮像装置７２Ｒ、撮像装置７３Ｒを設ける構成とする。なお撮像装置は２以上並べて取り付けることで、対象物との距離に関する情報も得られるため好ましい。
【０１６０】
図１３（Ｂ）及び図１４（Ａ）の構成とすることで、図１４（Ｂ）に図示するように窓部６１以外の自動車の外側の画像を表示できる。そのため、ユーザの死角を補い、安全性を高められた移動体とすることができる。
【０１６１】
また窓部６１以外の車体の内部の表面に表示パネル６０を設ける構成では、色々な場所に表示パネルを配置することで、メーターなどの表示位置を変更可能とすることができる。この場合、表示位置を自由に切り替えることができるため、直射日光によって見えづらくなる場合の対策になる。
【０１６２】
＜移動体の例＞
移動体の例について説明する。
【０１６３】
本発明の一態様に係る表示システムは、表示パネルを設けることができる表面を有している移動体に用いることができる。これら移動体の具体例を図１５（Ａ）乃至（Ｄ）に示す。
【０１６４】
図１５（Ａ）は自動車３０１である。自動車３０１は、窓部３１１を有する。本発明の一態様に係る移動体は、窓部３１１を有する自動車３０１に用いることができる。表示システムに適用した表示パネルは、自動車３０１内の表面に設けることが可能である。当該構成とすることで、自動車３０１内の表示パネルに自動車３０１の外の画像を表示させることができる。そのため、窓部３１１以外での死角が低減された自動車３０１とすることができる。
【０１６５】
図１５（Ｂ）はバス３０２である。バス３０２は、窓部３１１を有する。本発明の一態様に係る移動体は、窓部３１１を有するバス３０２に用いることができる。表示システムに適用した表示パネルは、バス３０２内の表面に設けることが可能である。当該構成とすることで、バス３０２内の表示パネルにバス３０２の外の画像を表示させることができる。そのため、窓部３１１以外での死角が低減されたバス３０２とすることができる。
【０１６６】
図１５（Ｃ）は電車３０３である。電車３０３は、窓部３１１を有する。本発明の一態様に係る移動体は、窓部３１１を有する電車３０３に用いることができる。表示システムに適用した表示パネルは、電車３０３内の表面に設けることが可能である。当該構成とすることで、電車３０３内の表示パネルに電車３０３の外の画像を表示させることができる。そのため、窓部３１１以外での死角が低減された電車３０３とすることができる。
【０１６７】
図１５（Ｄ）は飛行機３０４である。飛行機３０４は、窓部３１１を有する。本発明の一態様に係る移動体は、窓部３１１を有する飛行機３０４に用いることができる。表示システムに適用した表示パネルは、飛行機３０４内の表面に設けることが可能である。当該構成とすることで、飛行機３０４内の表示パネルに飛行機３０４の外の画像を表示させることができる。そのため、窓部３１１以外での死角が低減された飛行機３０４とすることができる。
【０１６８】
＜本明細書等の記載に関する付記＞
本明細書等において、「第１」、「第２」、「第３」という序数詞は、構成要素の混同を避けるために付したものである。従って、構成要素の数を限定するものではない。また、構成要素の順序を限定するものではない。
【０１６９】
本明細書等において、ブロック図では、構成要素を機能毎に分類し、互いに独立したブロックとして示している。しかしながら実際の回路等においては、構成要素を機能毎に切り分けることが難しく、一つの回路に複数の機能が係わる場合や、複数の回路にわたって一つの機能が関わる場合があり得る。そのため、ブロック図のブロックは、明細書で説明した構成要素に限定されず、状況に応じて適切に言い換えることができる。
【０１７０】
なお図面において、同一の要素又は同様な機能を有する要素、同一の材質の要素、あるいは同時に形成される要素等には同一の符号を付す場合があり、その繰り返しの説明は省略する場合がある。
【０１７１】
本明細書等において、トランジスタの接続関係を説明する際、ソースとドレインとの一方を、「ソース又はドレインの一方」（又は第１電極、又は第１端子）と表記し、ソースとドレインとの他方を「ソース又はドレインの他方」（又は第２電極、又は第２端子）と表記している。これは、トランジスタのソースとドレインは、トランジスタの構造又は動作条件等によって変わるためである。なおトランジスタのソースとドレインの呼称については、ソース（ドレイン）端子や、ソース（ドレイン）電極等、状況に応じて適切に言い換えることができる。
【０１７２】
また、本明細書等において、電圧と電位は、適宜言い換えることができる。電圧は、基準となる電位からの電位差のことであり、例えば基準となる電位をグラウンド電位（接地電位）とすると、電圧を電位に言い換えることができる。グラウンド電位は必ずしも０Ｖを意味するとは限らない。なお電位は相対的なものであり、基準となる電位によっては、配線等に与える電位を変化させる場合がある。
【０１７３】
本明細書等において、スイッチとは、導通状態（オン状態）、又は、非導通状態（オフ状態）になり、電流を流すか流さないかを制御する機能を有するものをいう。又は、スイッチとは、電流を流す経路を選択して切り替える機能を有するものをいう。
【０１７４】
一例としては、電気的スイッチ又は機械的なスイッチなどを用いることができる。つまり、スイッチは、電流を制御できるものであればよく、特定のものに限定されない。
【０１７５】
なお、スイッチとしてトランジスタを用いる場合、トランジスタの「導通状態」とは、トランジスタのソースとドレインが電気的に短絡されているとみなせる状態をいう。また、トランジスタの「非導通状態」とは、トランジスタのソースとドレインが電気的に遮断されているとみなせる状態をいう。なおトランジスタを単なるスイッチとして動作させる場合には、トランジスタの極性（導電型）は特に限定されない。
【０１７６】
本明細書等において、ＡとＢとが接続されている、とは、ＡとＢとが直接接続されているものの他、電気的に接続されているものを含むものとする。ここで、ＡとＢとが電気的に接続されているとは、ＡとＢとの間で、何らかの電気的作用を有する対象物が存在するとき、ＡとＢとの電気信号の授受を可能とするものをいう。
【符号の説明】
【０１７７】
ＰＩＮＦＯ    画像情報
ＤＳＰ    表示装置
ＳＲ    シフトレジスタ
ＳＲ［０］    ラッチ回路
ＳＲ［１］    ラッチ回路
ＳＲ［２］    ラッチ回路
ＳＲ［３］    ラッチ回路
ＳＲ［ｎ−２］    ラッチ回路
ＳＲ［ｎ−１］    ラッチ回路
ＳＲ［ｎ］    ラッチ回路
ＡＤ［１］    ＡＮＤ回路
ＡＤ［２］    ＡＮＤ回路
ＡＤ［３］    ＡＮＤ回路
ＡＤ［ｎ−２］    ＡＮＤ回路
ＡＤ［ｎ−１］    ＡＮＤ回路
ＡＤ［ｎ］    ＡＮＤ回路
Ｄ    入力端子
Ｑ    出力端子
ＳＥＬ［１］    端子
ＳＥＬ［２］    端子
ＳＥＬ［３］    端子
ＳＥＬ［ｎ−２］    端子
ＳＥＬ［ｎ−１］    端子
ＳＥＬ［ｎ］    端子
ＬＡ１［１］    ラッチ回路
ＬＡ１［２］    ラッチ回路
ＬＡ１［３］    ラッチ回路
ＬＡ１［ｎ−２］    ラッチ回路
ＬＡ１［ｎ−１］    ラッチ回路
ＬＡ１［ｎ］    ラッチ回路
ＬＡ２［１］    ラッチ回路
ＬＡ２［２］    ラッチ回路
ＬＡ２［３］    ラッチ回路
ＬＡ２［ｎ−２］    ラッチ回路
ＬＡ２［ｎ−１］    ラッチ回路
ＬＡ２［ｎ］    ラッチ回路
Ｓ［１］    信号線
Ｓ［２］    信号線
Ｓ［３］    信号線
Ｓ［ｎ−２］    信号線
Ｓ［ｎ−１］    信号線
Ｓ［ｎ］    信号線
ＬＡＴ    配線
ＤＡＴ    配線
ＳＰ    配線
ＳＣＬＫ    配線
ＳＣＬＫＢ    配線
Ｄ［１］    画像データ
Ｄ［２］    画像データ
Ｄ［３］    画像データ
Ｄ［４］    画像データ
Ｄ［５］    画像データ
Ｄ［ｎ−２］    画像データ
Ｄ［ｎ−１］    画像データ
Ｄ［ｎ］    画像データ
ＢＬ    配線
ＣＯＮＴＥＸＴ［１］    配線
ＣＯＮＴＥＸＴ［ｍ］    配線
ＷＬ［１］    配線
ＷＬ［ｍ］    配線
Ａ１    端子
Ａ２    端子
Ｂ１    端子
Ｂ２    端子
ＶＬ＿ａ    電位供給線
ＶＬ＿ｂ    電位供給線
Ｖ０    配線
１０    移動体
１１Ａ    表示パネル
１１Ｂ    表示パネル
１１Ｃ    表示パネル
１１Ｄ    表示パネル
１２    ダッシュボード
１３    ハンドル
１４    窓部
１５    ピラー
１６    インパネ
２０    表示パネル
２１    表示領域
２１Ｄ    表示領域
２１Ｅ    表示領域
２２    非表示領域
２２Ｄ    非表示領域
２２Ｅ    非表示領域
２３    折り曲げ部
２４    画素部
３０    コントロールＩＣ
３１    画像
３２    画像
３３    画像
４０    撮像センサ
５０    表示パネル
５１Ａ    表示パネル
５１Ｂ    表示パネル
５１Ｃ    表示パネル
５１Ｄ    表示パネル
５２Ａ    表示パネル
５２Ｂ    表示パネル
５２Ｃ    表示パネル
６０    表示パネル
６１    窓部
７１Ｌ    撮像装置
７１Ｒ    撮像装置
７２Ｌ    撮像装置
７２Ｒ    撮像装置
７３Ｌ    撮像装置
７３Ｒ    撮像装置
１００    装置
１０１［１］    回路
１０１［ｎ］    回路
１０２    回路
１０３    インバータ
１０４［１］    データ保持回路
１０４［ｍ］    データ保持回路
１０５    トランジスタ
１０６    トランジスタ
１０７    トランジスタ
１０８    容量素子
３０１    自動車
３０２    バス
３０３    電車
３０４    飛行機
３１１    窓部
４２６    発光素子
４６１    トランジスタ
４６３    容量素子
４６４    トランジスタ
４６５    ノード
４６７    ノード
４６８    トランジスタ
５００    表示パネル
５４１    駆動回路
５４２Ａ    駆動回路
５４２Ｂ    駆動回路
５４３    画素部
５４４    配線
５４４＿ｇ    配線
５４５    配線
５４５＿ｈ    配線
５４６    画素
５４６Ａ    画素
１０００    表示用ドライバ
【図１】
2017211652.tif 000003
【図２】
2017211652.tif 000004
【図３】
2017211652.tif 000005
【図４】
2017211652.tif 000006
【図５】
2017211652.tif 000007
【図６】
2017211652.tif 000008
【図７】
2017211652.tif 000009
【図８】
2017211652.tif 000010
【図９】
2017211652.tif 000011
【図１０】
2017211652.tif 000012
【図１１】
2017211652.tif 000013
【図１２】
2017211652.tif 000014
【図１３】
2017211652.tif 000015
【図１４】
2017211652.tif 000016
【図１５】
2017211652.tif 000017